(57)【特許請求の範囲】
【請求項１】
ぺーパーから作られる分割用ストリップからなる、空のドラムへの巻回を可能にするように、ドラムに巻回される可動ぺーパーウエブを分割するための可動ぺーパーウエブの分割器において、
前記分割用ストリップが幾重にも重ねられたぺーパーストリップ（１；４）により形成され、
前記ぺーパーストリップ（１；４）の互いに接している層が、少なくとも部分的に互いに接着剤（１３；４３）により接着結合され、
そして、前記ぺーパーストリップ（１）の２つの横方向領域（１１，１２）が、中間領域（１０；４０）の一側においてそれらが相互に重なり合わないように、各々内側に向けて少なくとも２度折り重ねられていることを特徴とする可動ぺーパーウエブの分割器。
【請求項２】
少なくとも１枚のぺーパーストリップ（１）が、長手方向の繊維方向を有するぺーパー材料から作られていることを特徴とする請求項１に記載の可動ぺーパーウエブの分割器。
【請求項３】
前記接着剤（１３；４３）が、水溶性であることを特徴とする請求項１または２に記載の可動ぺーパーウエブの分割器。
【請求項４】
前記分割用ストリップ（１；４）が、長手方向に延びる溝を備えるか、またはその横断方向に波形に形成されることを特徴とする請求項１〜３の内の何れか１項に記載の可動ぺーパーウエブの分割器。
【請求項５】
前記ぺーパーストリップ（１；４）の最初に折り曲げられた２つの側縁部（１４，１５）が分割用ストリップのほぼ中間に配置されることを特徴とする請求項１〜４の内の何れか１項に記載の可動ぺーパーウエブの分割器。
【発明の詳細な説明】
【技術分野】
【０００１】
本発明は、ぺーパーから作られる分割用ストリップからなる、空のドラムへの巻回を可能にするように、ドラムに巻回される可動ぺーパーウエブを分割するための可動ぺーパーウエブの分割器に関する。
【背景技術】
【０００２】
製紙装置において作られるぺーパーウエブがコイルに巻回されるとき、コイルが予め定められた包装直径に達するとすぐに、空のコイルに追随するウエブの巻き付けを許容するように、約２５メートル／秒の速度で動いている、ぺーパーウエブを分割する必要がある。このために分割用ストリップが使用され、該分割用ストリップはそれ自体空のコイル上に螺旋状に巻回され、そして同時にぺーパーウエブが螺旋状の線に沿って分割される。分割作業において要求されたぺーパーウエブの部分とともに分割用ストリップの再利用を可能にするために、ぺーパーから分割用ストリップを作ることが知られている。
【０００３】
高い引っ張り強さおよび高い剛性を持たねばならない、かかる分割用ストリップは今まで並んで配置されかつともに接着される多数の紙紐から作られた。接着作業を行うために、紙紐はそれらの表面全体にわたって水溶性接着剤で湿らされる。紙紐はそれらが互いに接するときともに押圧されるので、それらは接触面で互いに貼り付く。接着剤の乾燥過程後、このようにして作られた分割用ストリップはロール上に巻回される。
【発明の開示】
【発明が解決しようとする課題】
【０００４】
紐が作られるときこれらの紐はそれらの全周部にわたって接着剤で湿らされるので、コイル上に巻回された分割用ストリップは湿気の影響によりともに貼り付き得る。また、湿気の影響により、接着された紙紐は互いに緩くなり、したがって分割用ストリップの強度を小さくし、かつそのうえ多分使用時に問題を生じる。この公知の分割用ストリップの他の不都合は分割用ストリップが作られる個々の紙紐が最小の直径を持たねばならず、その結果この分割用ストリップは、かかる分割用ストリップがぺーパーの重量が比較的軽いぺーパーウエブを分割するのに使用されるとき、ぺーパーウエブが損傷されるので、有害な作用を生じるかも知れない最小の厚さを有する。また、供給チャンネルを通るその運動に付随する問題を排除し得るように、かかる分割用ストリップを正確な許容誤差で製造する必要が存在する。この要求は、しかしながら、紐が正確な大きさにおいて作られ得ないので、複数の紐から作られる分割用ストリップの場合において問題なくしては満たされ得ない。
【０００５】
そのうえ、分割用ストリップが切り離されるとき、個々の紐は、同様にその結果として機能的な問題を生じ得る、分割用ストリップの長さに沿って異なる点で切断される。加えて、撚り紐から作られる分割用ストリップは再利用過程において問題なくしては解かれ得ない。
【０００６】
最後に、この種の分割用ストリップに塗布されかつ後でぺーパーウエブを分割する過程を開始できるように、分割用ストリップを空のコイルに固定するのに役立つ略平らな接着剤層は紙紐の外側のジヤケットラインに沿ってのみ紙紐から作られる分割用ストリップに貼り付き、これはこれらの接着剤層が緩くなり得ることを意味する。
【０００７】
本発明の目的は、したがって、個々の紐から作られる、公知の分割用ストリップの不都合が克服されるぺーパーから作られる分割用ストリップを提供することにある。
【課題を解決するための手段】
【０００８】
上記目的は、本発明によれば、前記分割用ストリップが幾重にも重ねられたぺーパーストリップにより形成され、前記ぺーパーストリップの互いに接している層が少なくとも部分的に互いに接着剤により接着結合され、そして、前記ぺーパーストリップの２つの横方向領域が、中間領域の一側において、それらが相互に重なり合わないように、各々内側に向けて少なくとも２度折り重ねられていることにより達成される。
【０００９】
本発明によるぺーパーストリップの好ましい実施形態として、少なくとも１枚のぺーパーストリップは、長手方向の繊維方向を有するぺーパー材料から作られている。本発明によるぺーパーストリップの好ましい実施形態において、接着剤が、水溶性である。また、もう１つの本発明による好ましい実施形態によれば、分割用ストリップは、長手方向に延びる溝を備えるか、またはその横断方向に波形に形成される。更に、本発明によるぺーパーストリップの１つの実施形態において、最初に折り曲げられた２つの側縁部が分割用ストリップのほぼ中間に配置される。
【００１０】
この種の分割用ストリップによって、公知の分割用ストリップのすべての不都合が克服される。すなわち、ぺーパー厚さおよびぺーパーの層の数の選択により、分割用ストリップはどのような引っ張り強さおよび堅さにでも作られることができ、したがって分割されるべきぺーパーウエブのぺーパーの厚さまたは品質に正確に適合することができる。分割用ストリップの外側には接着剤がないので、巻回された分割用ストリップがともに貼り付くといことは発生し得ない。その代わりに接着剤は分割用ストリップの内側にのみ配置されるので、分割用ストリップの引っ張り強さを低下する、湿気による接着結合の緩みは同様に回避される。
【００１１】
水溶性接着剤によってともに接着される多数層のぺーパーストリップから作られる分割用ストリップはまたより容易に再利用過程において解かれ、かつそれゆえより容易に再利用される。加えて、切断されるときかかる分割用ストリップは事実上直線の縁部に沿って切断され、その結果供給チャンネルにおいて機能的な問題を発生し得るぺーパー残存物は残されない。そのうえかかる分割用ストリップはそれらが直線で延びる一方鋭くない長手方向縁部を有するので、ぺーパーウエブを分割する工程の最適なコースがそれにより保証される。さらにそのうえかかる分割用ストリップは事実上滑らかな表面を有するので、略平らな接着剤層はそれらが緩くなり得ないように分割用ストリップに十分に良好に接着する。最後に、かかる分割用ストリップは限定されない長さにおいて作られ得る。
【発明の効果】
【００１２】
叙上のごとく、本発明は、ぺーパーから作られる分割用ストリップからなる、空のドラムへの巻回を可能にするように、ドラムに巻回される可動ぺーパーウエブを分割するための可動ぺーパーウエブの分割器において、前記分割用ストリップが幾重にも重ねられたぺーパーストリップにより形成され、そして前記ぺーパーストリップの互いに接している層が少なくとも部分的に互いに接着結合される構成としたので、ぺーパー厚さおよびぺーパーの層の数の選択により、分割用ストリップがどのような引っ張り強さおよび堅さにでも作られることができ、したがって分割されるべきぺーパーウエブのぺーパーの厚さまたは品質に正確に適合し得る可動ぺーパーウエブの分割器を提供することができる。
【発明を実施するための最良の形態】
【００１３】
本発明を、以下に、図面に示される幾つかの実施形態によってより詳細に説明する。
【００１４】
本発明による分割用ストリップは多数回折り重ねられるぺーパーストリップから形成され、互いに接する層は水溶性接着剤によってともに接着される。接着剤は分割用ストリップの内側に配置され、そして分割用ストリップの外側は接着剤なしで保持される。
【００１５】
図１の実施形態において、分割用ストリップはその横方向領域１１および１２がそれらの長い縁部が互いに緊密に接するように、一側で、中間領域１０の上方に、折り重ねられる。互いに接する層は接着剤層１３によってともに接着される。２つの層を有するこの分割用ストリップはかくして、ぺーパーウエブを切断する作業がそれにより開始される、折り目により形成される、長い縁部１４および１５を有する。
【００１６】
図２には、その横方向縁部２１および２２が中間領域２０の上方に互いに折り重ねられかつ接着剤層２３により互いに接着され、かくして３層の分割用ストリップを形成し、その２つの側縁部２４および２５が切断縁部を形成するぺーパーストリップ２から形成される、本発明による分割用ストリップが示される。この分割用ストリップは形状において３層であるため、図１の分割用ストリップに比して増加された引っ張り強さを有する。
【００１７】
図３に示される分割用ストリップはぺーパーストリップ３の２つの横方向領域３１および３２が中間領域３０の異なる側で折り重ねられることにより図２に示した分割用ストリップと異なる。再び、ぺーパーストリップ３の個々の層は接着剤層３３によってともに接着される。２つの側縁部３４および３５は切断縁部を形成する。
【００１８】
図４の分割用ストリップにおいて、ぺーパーストリップ４の２つの横方向領域４１および４２は中間領域４０の上方に多数回屈曲され、形状において４層である、分割用ストリップの個々の層は接着剤層４３によってともに接合される。結果として、同様により高い剛性および破断強さが達成される。破断縁部は側縁部４４および４５により形成される。
【００１９】
図５において、図１の実施形態におけるようにその横方向領域１１および１２が互いに向かって折り重ねられるぺーパーストリップ１から作られる分割用ストリップが示される。このようにして形成されたぺーパーストリップ１の層間で分割用ストリップを補強するために、補強ぺーパーストリップ５が設けられ、その幅は事実上分割用ストリップの幅に等しくそして２つの接着剤層１３によってぺーパーストリップの層１０，１１および１２に接合される。嵌め込み体は、水溶性接着剤を両側に被覆された支持体付きぺーパーストリップ、または支持体のない接着剤テープにより形成されることができる。
【００２０】
図６において、さらに他の分割用ストリップが示され、この分割用ストリップは、ぺーパーストリップ１の一方が他方の上に配置され、補強嵌め込み体を形成し、そして複数の接着剤層１３によりぺーパーストリップ１の層に接合される３つのぺーパーストリップ５１，５２，５３を閉じ込めることにより図５の実施形態と異なる。
【００２１】
図７には、２枚のぺーパーストリップ１および１ａがともに接着され、外方ぺーパーストリップ１ａの横方向領域１１ａおよび１２ａが折り重ねられたぺーパーストリップ１の頂部上に折り重ねられかつ内側に配置された接着剤層１３により他の層に接着されることにより図１の実施形態と異なる分割用ストリップが示される。
【００２２】
図８には、図１のその横方向領域１０，１１，１２が２枚のぺーパーストリップ１および１ｂの横方向領域１１，１２および１１ｂ，１２ｂが分割用ストリップの異なる側に配置されるように第２のぺーパーストリップ１ｂにより取り囲まれる分割用ストリップが示される。
【００２３】
かかる分割用ストリップの所定の可撓性を達成するために、分割用ストリップは横断方向において波形に形成され得る。図９には、図８におけると同様な分割用ストリップが示され、この分割用ストリップは横断方向に波形にされかつその上に切断作業に必要とされる略平らな接着剤層９が塗布される。この接着剤層９は分割用ストリップの波形にされた性質に適合するので、それにもかかわらず従来の欠点が回避される。
【００２４】
ぺーパーから作られる、この種の分割用ストリップは任意の長さにおいて作られ得る。
【図面の簡単な説明】
【００２５】
【図１】本発明によるぺーパーストリップから作られる分割用ストリップの実施形態を示す斜視図である。
【図２】本発明によるぺーパーストリップから作られる分割用ストリップの他の実施形態を示す斜視図である。
【図３】本発明によるぺーパーストリップから作られる分割用ストリップのさらに他の実施形態を示す斜視図である。
【図４】本発明によるぺーパーストリップから作られる分割用ストリップの他の実施形態を示す斜視図である。
【図５】本発明によるぺーパーストリップから作られる分割用ストリップのさらに他の実施形態を示す斜視図である。
【図６】本発明によるぺーパーストリップから作られる分割用ストリップの他の実施形態を示す斜視図である。
【図７】本発明によるぺーパーストリップから作られる分割用ストリップのさらに他の実施形態を示す斜視図である。
【図８】本発明によるぺーパーストリップから作られる分割用ストリップの他の実施形態を示す斜視図である。
【図９】本発明によるぺーパーストリップから作られる分割用ストリップの他の実施形態を示す斜視図である。
【符号の説明】
【００２６】
１  分割用ストリップ（ぺーパーストリップ）
２  分割用ストリップ（ぺーパーストリップ）
３  分割用ストリップ（ぺーパーストリップ）
４  分割用ストリップ（ぺーパーストリップ）
５  補強ぺーパーストリップ
９  接着剤層
１０  中間領域
１１  横方向領域（層）
１２  横方向領域（層）
１３  接着剤層
２０  中間領域
２１  横方向縁部
２２  横方向縁部
３０  中間領域
３１  横方向領域
３２  横方向領域
３３  接着剤層
４０  中間領域
４１  横方向領域
４２  横方向領域
４３  接着剤層
５１  ぺーパーストリップ
５２  ぺーパーストリップ
５３  ぺーパーストリップ
【図１】
0003748872.tif 000002
【図２】
0003748872.tif 000003
【図３】
0003748872.tif 000004
【図４】
0003748872.tif 000005
【図５】
0003748872.tif 000006
【図６】
0003748872.tif 000007
【図７】
0003748872.tif 000008
【図８】
0003748872.tif 000009
【図９】
0003748872.tif 000010